(57)【要約】　　　（修正有）【課題】解決しようとする問題点は、ハーネスを着脱する際の操作方法と、それにおいて障害となる安全保護の点、、そして夜間歩行時の安全保護の点、そして多頭向きの応用である。【解決手段】簡易な操作でかつ装着時の安全確保として、ハーネス延長ベルトにスライドストッパー１２を、また夜間歩行時の安全保護として発行リング５１，５２と反射プレート５５，５６を設け、さらにリードは取外し式で自在に取り外せ、多頭引き用にジョイントを繋げることも可能とし、更に二重の安全確保としてバックストッパーを備えることも可能としたことを最も主要な特徴とする。【選択図】　　　　図１４
0003097185.tif 000002
【実用新案登録請求の範囲】
【請求項１】
ベルト用皮革かテープ状の生地による素材であって、胸回りベルト（７）の中央に胸当ベルト（５、６）を止具（１８〜２３）により接合し、両側面部に発光リング（５１〜５４）と反射プレート（５５、５６）を、ハーネス上部には連結具（９、１０）により延長ベルト（８）を取付け、延長先にはリード（Ｂ）の連結フック（１５、１６）によって取外しするため連結リング（１１）を、延長ベルトにはスライドストッパー（１２）とスライドストッパー押さえ（１３）を取付け、止具（２４〜４２）により接合し形成された反射機能付ハーネス。
【請求項２】
ベルト用皮革かテープ状の生地による素材であって、リードベルト（１４）に取外し自在のための連結フック（１５、１６）をリードの両側に取付け、さらに片側だけ大きく折返した部分に連結フック収納掛具（１７）を取付けて、止具（４３〜５０）により接合し形成された取外し式リード。
【請求項３】
ベルト用皮革かテープ状の生地による素材であって、ハーネス（Ａ）と延長ベルト（８）を繋ぎとめる際、連結リング（９、１０）と共にそれより小さ目の連結リング（５７、５８）を取付けておき、バックストッパー片側にはバックベルト調整押え（６３）を取付け、さらに差し込みストッパー（６１、６２）を取付けたバックベルト（５９、６０）を止具（６４〜６７）により連結リング（５７、５８）に接合して固定式として設けられるバックストッパー。
【請求項４】
チェーン金具であって、ハーネス（Ａ）と延長ベルト（８）を繋ぎとめる際、連結リング（９、１０）と共にそれより小さ目の連結リング（５７、５８）を取付けておき、チェーン金具（７０）に取外し自在のための連結具（６８、６９）を両端に取付け、取外し式として設けられるバックストッパー。
【請求項５】
ベルト用皮革かテープの生地状による素材であって、ジョイントベルト（７３）に取外し自在のための連結フック（７１、７２）を両端に取付け止具（７４〜７７）で接合し、ハーネス（Ａ）とリード（Ｂ）の間に繋ぐことにより取外し式として設けられるジョイント。
【請求項６】
ベルト用皮革かテープの生地状による素材であって、ジョイントベルト（８０）に取外し自在のための連結フック（７８）と連結リング（７９）をそれぞれの端に取り付け止具（８１〜８４）で接合し、ハーネス（Ａ）とリード（Ｂ）の間に繋ぐことにより取外し式として設けられるジョイント。
【請求項７】
チェーン金具であって、チェーン金具（８２）に取外し自在のため連結フック（８５、８６）を両端に取付け、ハーネス（Ａ）とリード（Ｂ）の間に繋ぐことにより取外し式として設けられるジョイント。
【考案の詳細な説明】
【０００１】
【考案の属する技術分野】
本考案は、動物にハーネスを装着させる際に係るものであり、多頭引き可能な取外し式リードと反射機能付ハーネス並びにバックストッパー及びジョイントに関するものである。
【０００２】
【従来の技術】
従来は、リードと一体型でスライドストッパー様のものが一つあるが、クリップ様のつまんで押さえる形式のものであった（意願登録第３９３５２４号公報参照）。他にも現在市販されているものでは、片方の脇や背面に着脱ストッパーがあり、それを外してから着脱するものも知られている。
【０００３】
しかし、ただクリップ様のストッパーで押さえているだけであったり、脇や背面にストッパーがあったりすると、不意にストッパーがズレたり外れるなどして逃げ出してしまったり、自動車事故など不慮の事故の際には、衝撃でストッパーが簡単に外れ易く、車外に放り出されて命を落とす危険があった。また、後者においてはある程度見栄えはするものの、脇のストッパーを付け外しする際に扱いにくいというのが問題であった。さらに、多頭引きにするに至っては複数を要し、そのリードを操らなければならず多頭引きには不向きで不便であった。
【０００４】
この欠点は犬を安全で快適な歩行するというハーネスの目的に関して大きな障害である。実際に、ハーネスで保護して車に乗せていたにも関わらず、不慮の事故でストッパーが外れ車内から放り出されて命を落とすという事例が複数もあった。また多頭引きにおいても、飼い主は窮屈で苦慮している場合が多い。さらにハーネスにおいては、夜間歩行の場合の安全保護対策はあまり成されている傾向にない。
【０００５】
この改善策として、簡単な着脱操作で扱いやすく確実に固定でき安全を確保するとともに、多頭引き可能で、ハーネスとしても外観の見栄えを損なうことのないことが必要である。
【０００６】
【考案が解決しようとする課題】
解決しようとする問題点は、ハーネスを着脱する際の操作方法と、それにおいて障害となる安全保護の点、、そして夜間歩行時の安全保護の点、そして多頭向きの応用である。
【０００７】
【課題を解決するための手段】
本考案は、簡易な操作でかつ装着時の安全確保として、ハーネス延長ベルトにスライドストッパーを、また夜間歩行時の安全保護として発行リングと反射プレートを設け、さらにリードは取外し式で自在に取り外せ、多頭引き用にジョイントを繋げることも可能とし、更に二重の安全確保としてバックストッパーを備えることも可能としたことを最も主要な特徴とする。
【０００８】
【考案の実施の形態】
簡易な着脱操作と安全保護という目的を、ベルト用皮革もしくはテープ状の生地と金具部品及びプラスティック素材で実現した。
【０００９】
【実施例】
図１は、反射機能付ハーネスＡと取外し自在リードＢの１実施例の正面図である。図２、３、４はそれぞれ、角度を変えた状態によるものである。ハーネスＡとリードＢにおいては、ベルト用皮革もしくはテープ状の生地を使用し、幅、厚み、長さは装着対象のサイズに準ずるものとする。生地はそれぞれハーネスＡとなる胴回りベルト７、胸当ベルト５、６、延長ベルト８と、リードＢとなるリードベルト１４のパーツにカットし、ハーネスＡにおいては、胸回りベルト７の中央に胸当ベルト５、６を前方より逆Ｖ字に取付け、さらに延長ベルト８を連結リング９、１０で繋ぎ、スライドストッパー１２とスライドストッパー押さえ１３を取り付け２４〜４２の止具で接合する。またリードＢにおいては、リードベルト１４の片側を大きく折返しをつけて１５の連結フック収納掛具を取付け４３〜５０の止具により接合し、取外し自在のリードとする。またハーネスの反射機能においては、図３、４を説明図とする。反射機能としては、ハーネスの両側面部の前方に発光リング５１〜５４を、後方に反射プレート５５、５６を取付け、暗い場所でも存在を認識されるための機能とする。ただし昼仕様とする場合この機能は必要ない。またハーネスＡは胴体部に装着され、とリードＢはその連結リング１５、１６をハーネスＡの連結具１１に繋ぎ率いて歩行し、それぞれを一組セットで使用するものである。
【００１０】
スライドストッパー１１においては、リング金具と角金具をバックル様に組合せ、ハーネスの素材が皮革の場合は緩みを防止するため、ハーネス本体と同生地を使い止め具３２で輪にした１３のスライドストッパー押さえを８のハーネス延長部に取り付ける。ハーネスの素材が生地の場合にはバックルを使用することも出来、緩み防止にも非常に効果が高いので、この場合はストッパー押えは必要ない。このスライドストッパーは非常に簡易的な操作で装着時の安定と安全保護を兼ね備えている。
【００１１】
図５の胸当ベルト５、６においては、図４のＡ−Ａ線切断による要部平面及び底面図を説明するものであって、ハーネス中央部分に２本の胸当ベルト５、６を２点が重なる部分を前方、２点が広がる部分を後方とし、逆Ｖ字型にし止具１８〜２３により接合する。逆Ｖ字型であることにより装着時の馴染み具合がよくズレにくくなる。
【００１２】
図６、７のバックストッパーＣ１、Ｃ２においては、更に重点的に安全保護を目的とした場合の二重ストッパーとして用い、バックストッパーを設ける際には胴回りベルト７と延長ベルト８を繋ぐ連結リング９、１０と共に、その連結リング９、１０より小さ目の連結リング５７、５８を付けてバックストッパー取付け位置とし、Ｃ１のバックストッパーの場合は、ハーネスと同素材のバックベルト５９、６０にプラスティックの差込ストッパー６１、６２を付け、片側のバックベルトにはバックベルト調整押さえ６３を付け、６４〜６７までの止具で連結リング５７、５８に接合し、固定式のバックストッパーとしてハーネス本体に設け、Ｃ２のバックストッパーの場合はチェーン金具７０に連結フック６８、６９を取付け、取外し式のバックストッパーとしてハーネス本体より自在に取外せるものである。
【００１３】
図８、９、１０のジョイントＤ１、Ｄ２、Ｄ３においては、多頭引きで犬同士が窮屈な場合等に、リードとハーネスの間をパーツで調整し解消するパーツである。Ｄ１、Ｄ２のジョイントベルトにおいてはハーネスと同素材を使用し、Ｄ１のジョイントはジョイントベルト７３の両端に７１、７２の連結フックを取付け７４〜７７の止具で接合し、Ｄ２のジョイントはジョイントベルト８０に７８の連結フックと７９の連結リングを取付け８１〜８４の止具で接合し、Ｄ３のジョイントにおいてはチェーンを使用し、チェーン金具８７の両側に８５、８６の連結フックを取付け、それぞれをジョイントとする。機能的にはそれぞれ同じであるが、組み合わせ方など使い勝手の良いように工夫して使用することを考慮している。例えば、多頭引きにの場合、一つのジョイントに一つのハーネスを組合せる方法と一つのジョイントに複数のハーネスを組合せる方法など自由に振り分け組み合わせることができる。（図１０参照）
【００１４】
図１１、１２はリードＢの収納及び応用を説明する図で、リードＢをハーネスＡより取外した際は連結フック１５をずらして連結収納掛具１７に取付け、輪になった部分を壁掛けフック等に引っ掛けて収納することができる。また輪の部分が持ち手としても活用出来るので長引リードとして使用することも可能である。
【００１５】
【考案の効果】
図９においては、多頭引きによる参考例で正面から見た状態である。３頭引を例とし、サイズが違うハーネスの場合でも、サイズに応じたジョイントを装着させることが可能であることを示している。参考図はジョイントＤ１を使用して示したものである。
【００１６】
図１０においてはイヌによる装着参考例で右斜め前方より見た状態である。３頭引を例とし、サイズが違っていてもジョイント取付ければ一本のリードで操作が出来、それぞれを率いて共に歩行する側も窮屈で振りまわされる心配がなく快適な歩行が可能である。
【図面の簡単な説明】
【図１】ハーネスとリードを装着してなる正面図である。
【図２】ハーネスとリードを装着してなる背面面図である。
【図３】ハーネスとリードを装着してなる左側面図である。
【図４】ハーネスとリードを装着してなる右側面図である。
【図５】Ａ−Ａ線切断による胸当ベルト要部平面及び底面図である。
【図６】バックストッパーの平面図である。
【図７】バックストッパーを装着してなる要部正面図である。
【図８】ジョイントの平面図である。
【図９】ジョイントの側面図である。
【図１０】ジョイントを装着してなる要部平面図である。
【図１１】リードの連結フック収納掛具を収納してなる平面図である。
【図１２】リードの連結フック収納掛具を収納してなる側面図である。
【図１３】ハーネスとリードを多頭引き状態に装着してなる正面図である。
【図１４】多頭引き状態の実施例を示す斜視図である。
【符号の説明】
Ａ　　ハーネス
Ｂ　　リード
Ｃ１　、Ｃ２　　バックストッパー
Ｄ１、Ｄ２、Ｄ３　　ジョイント
１　　正面部
２　　背面部
３　　右側面部
４　　左側面部
５、６　　胸当ベルト
７　　胴回りベルト
８　　延長ベルト
９、１０、１１、５７、５８、７９　　連結リング
１２　　スライドストッパー
１３　　スライドストッパー押え
１４　　リードベルト
１５、１６、６８、６９、７１、７２、７８、８５、８６　　連結フック
１７　　連結フック収納掛具
１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、６４、６５、６６、６７、７４、７５、７６、７７、８１、８２、８３、８４　　止具
５１、５２、５３、５４　　発光リング
５５、５６　　反射プレート
５９、６０　　バックベルト
６１、６２　　差込ストッパー
６３　　バックベルト調整押え
７３、８０　　ジョイントベルト
７０、８７　　チェーン金具
【図１】
0003097185.tif 000003
【図２】
0003097185.tif 000004
【図３】
0003097185.tif 000005
【図４】
0003097185.tif 000006
【図５】
0003097185.tif 000007
【図６】
0003097185.tif 000008
【図７】
0003097185.tif 000009
【図８】
0003097185.tif 000010
【図９】
0003097185.tif 000011
【図１０】
0003097185.tif 000012
【図１１】
0003097185.tif 000013
【図１２】
0003097185.tif 000014
【図１３】
0003097185.tif 000015
【図１４】
0003097185.tif 000016
【手続補正書】
【提出日】平成15年2月3日(2003.2.3)
【手続補正２】
【補正対象書類名】明細書
【補正対象項目名】考案の詳細な説明
【補正方法】変更
【補正の内容】
【考案の詳細な説明】
【０００１】
【考案の属する技術分野】
本考案は、動物にハーネスを装着させる際に係るものであり、多頭引き可能な取外し式リードと反射機能付ハーネス並びにバックストッパー及びジョイントに関するものである。
【０００２】
【従来の技術】
従来は、リードと一体型でスライドストッパー様のものが一つあるが、クリップ様のつまんで押さえる形式のものであった（意願登録第３９３５２４号公報参照）。他にも現在市販されているものでは、片方の脇や背面に着脱ストッパーがあり、それを外してから着脱するものも知られている。
【０００３】
しかし、ただクリップ様のストッパーで押さえているだけであったり、脇や背面にストッパーがあったりすると、不意にストッパーがズレたり外れるなどして逃げ出してしまったり、自動車事故など不慮の事故の際には、衝撃でストッパーが簡単に外れ易く、車外に放り出されて命を落とす危険があった。また、後者においてはある程度見栄えはするものの、脇のストッパーを付け外しする際に扱いにくいというのが問題であった。さらに、多頭引きにするに至っては複数を要し、そのリードを操らなければならず多頭引きには不向きで不便であった。
【０００４】
この欠点は犬を安全で快適な歩行するというハーネスの目的に関して大きな障害である。実際に、ハーネスで保護して車に乗せていたにも関わらず、不慮の事故でストッパーが外れ車内から放り出されて命を落とすという事例が複数もあった。また多頭引きにおいても、飼い主は窮屈で苦慮している場合が多い。さらにハーネスにおいては、夜間歩行の場合の安全保護対策はあまり成されている傾向にない。
【０００５】
この改善策として、簡単な着脱操作で扱いやすく確実に固定でき安全を確保するとともに、多頭引き可能で、ハーネスとしても外観の見栄えを損なうことのないことが必要である。
【０００６】
【考案が解決しようとする課題】
解決しようとする問題点は、ハーネスを着脱する際の操作方法と、それにおいて障害となる安全保護の点、、そして夜間歩行時の安全保護の点、そして多頭向きの応用である。
【０００７】
【課題を解決するための手段】
本考案は、簡易な操作でかつ装着時の安全確保として、ハーネス延長ベルトにスライドストッパーを、また夜間歩行時の安全保護として発行リングと反射プレートを設け、さらにリードは取外し式で自在に取り外せ、多頭引き用にジョイントを繋げることも可能とし、更に二重の安全確保としてバックストッパーを備えることも可能としたことを最も主要な特徴とする。
【０００８】
【考案の実施の形態】
簡易な着脱操作と安全保護という目的を、ベルト用皮革もしくはテープ状の生地と金具部品及びプラスティック素材で実現した。
【０００９】
【実施例】
図１は、反射機能付ハーネスＡと取外し自在リードＢの１実施例の正面図である。図２、３、４はそれぞれ、角度を変えた状態によるものである。ハーネスＡとリードＢにおいては、ベルト用皮革もしくはテープ状の生地を使用し、幅、厚み、長さは装着対象のサイズに準ずるものとする。生地はそれぞれハーネスＡとなる胴回りベルト７、胸当ベルト５、６、延長ベルト８と、リードＢとなるリードベルト１４のパーツにカットし、ハーネスＡにおいては、胸回りベルト７の中央に胸当ベルト５、６を前方より逆Ｖ字に取付け、さらに延長ベルト８を連結リング９、１０で繋ぎ、スライドストッパー１２とスライドストッパー押さえ１３を取り付け２４〜４２の止具で接合する。またリードＢにおいては、リードベルト１４の片側を大きく折返しをつけて１５の連結フック収納掛具を取付け４３〜５０の止具により接合し、取外し自在のリードとする。またハーネスの反射機能においては、図３、４を説明図とする。反射機能としては、ハーネスの両側面部の前方に発光リング５１〜５４を、後方に反射プレート５５、５６を取付け、暗い場所でも存在を認識されるための機能とする。ただし昼仕様とする場合この機能は必要ない。またハーネスＡは胴体部に装着され、とリードＢはその連結リング１５、１６をハーネスＡの連結具１１に繋ぎ率いて歩行し、それぞれを一組セットで使用するものである。
【００１０】
スライドストッパー１１においては、リング金具と角金具をバックル様に組合せ、ハーネスの素材が皮革の場合は緩みを防止するため、ハーネス本体と同生地を使い止め具３２で輪にした１３のスライドストッパー押さえを８のハーネス延長部に取り付ける。ハーネスの素材が生地の場合にはバックルを使用することも出来、緩み防止にも非常に効果が高いので、この場合はストッパー押えは必要ない。このスライドストッパーは非常に簡易的な操作で装着時の安定と安全保護を兼ね備えている。
【００１１】
図５の胸当ベルト５、６においては、図４のＡ−Ａ線切断による要部平面及び底面図を説明するものであって、ハーネス中央部分に２本の胸当ベルト５、６を２点が重なる部分を前方、２点が広がる部分を後方とし、逆Ｖ字型にし止具１８〜２３により接合する。逆Ｖ字型であることにより装着時の馴染み具合がよくズレにくくなる。
【００１２】
図６、７のバックストッパーＣ１、Ｃ２においては、更に重点的に安全保護を目的とした場合の二重ストッパーとして用い、バックストッパーを設ける際には胴回りベルト７と延長ベルト８を繋ぐ連結リング９、１０と共に、その連結リング９、１０より小さ目の連結リング５７、５８を付けてバックストッパー取付け位置とし、Ｃ１のバックストッパーの場合は、ハーネスと同素材のバックベルト５９、６０にプラスティックの差込ストッパー６１、６２を付け、片側のバックベルトにはバックベルト調整押さえ６３を付け、６４〜６７までの止具で連結リング５７、５８に接合し、固定式のバックストッパーとしてハーネス本体に設け、Ｃ２のバックストッパーの場合はチェーン金具７０に連結フック６８、６９を取付け、取外し式のバックストッパーとしてハーネス本体より自在に取外せるものである。
【００１３】
図８、９、１０のジョイントＤ１、Ｄ２、Ｄ３においては、多頭引きで犬同士が窮屈な場合等に、リードとハーネスの間をパーツで調整し解消するパーツである。Ｄ１、Ｄ２のジョイントベルトにおいてはハーネスと同素材を使用し、Ｄ１のジョイントはジョイントベルト７３の両端に７１、７２の連結フックを取付け７４〜７７の止具で接合し、Ｄ２のジョイントはジョイントベルト８０に７８の連結フックと７９の連結リングを取付け８１〜８４の止具で接合し、Ｄ３のジョイントにおいてはチェーンを使用し、チェーン金具８７の両側に８５、８６の連結フックを取付け、それぞれをジョイントとする。機能的にはそれぞれ同じであるが、組み合わせ方など使い勝手の良いように工夫して使用することを考慮している。例えば、多頭引きにの場合、一つのジョイントに一つのハーネスを組合せる方法と一つのジョイントに複数のハーネスを組合せる方法など自由に振り分け組み合わせることができる。（図１０参照）
【００１４】
図１１、１２はリードＢの収納及び応用を説明する図で、リードＢをハーネスＡより取外した際は連結フック１５をずらして連結収納掛具１７に取付け、輪になった部分を壁掛けフック等に引っ掛けて収納することができる。また輪の部分が持ち手としても活用出来るので長引リードとして使用することも可能である。
【００１５】
図９においては、多頭引きによる参考例で正面から見た状態である。３頭引を例とし、サイズが違うハーネスの場合でも、サイズに応じたジョイントを装着させることが可能であることを示している。参考図はジョイントＤ１を使用したものである。
【００１６】
図１０においてはイヌによる装着参考例で右斜め前方より見た状態である。３頭引を例とし、サイズが違っていてもジョイント取付ければ一本のリードで操作が出来、歩行も快適であることを示している。参考図はジョイントＤ１を使用したものである。
【００１７】
【考案の効果】本考案は上述の通り構成されているので、次にあげる効果を奏する。
【００１８】
反射機能付ハーネスにおいては、延長ベルトのスライドストッパーによる簡易な操作と、胸当ベルトの逆Ｖ字による装着の安定により確実に装着し身体を守ることが出来る。また両側面の反射機能により夜間時も安全に歩行することができる。
【００１９】
取外し式リードにおいては、ハーネスとの分離が自在で、パーツごとに収納でき、見栄え良く収納でき、複数有している場合であっても、収納や使用の際に混乱することなく扱える。
【００２０】
２種のバックスストッパーにおいては、固定式、取外し式ともにハーネスと延長部の繋ぎ目より取付けたバックストッパー用の連結リングより取付けることで二重の安全対策となり、更により確実に身体を守ることが出来る。
【００２１】
３種のジョイントにおいては、それぞれハーネスとリードの間に、その都度環境に応じて様々なパターンで接続して距離間等調整でき、またジョイントがあることで歩行時のリードの操作が一本で出来る利点もあるので、それぞれを率いて共に歩行する側も窮屈で振りまわされるという心配がなく、ゆったりと快適な歩行が出来る。




【手続補正書】
【提出日】平成15年6月4日(2003.6.4)
【手続補正３】
【補正対象書類名】明細書
【補正対象項目名】実用新案登録請求の範囲
【補正方法】変更
【補正の内容】
【実用新案登録請求の範囲】
【請求項１】
ベルト用皮革かテープ状の生地による素材であって、胸回りベルト（７）の中央に胸当ベルト（５、６）を止具（１８〜２３）により接合し、ハーネス上部には連結具（９、１０）により延長ベルト（８）を取付け、延長先にはリード（Ｂ）の連結フック（１５、１６）によって取外しするため連結リング（１１）を、延長ベルトにはスライドストッパー（１２）とスライドストッパー押さえ（１３）を取付け、止具（２４〜４２）により接合し形成し、両側面部に発光リング（５１〜５４）と反射プレート（５５、５６）の反射機能が設けられたハーネスリード。
【請求項２】
ベルト用皮革かテープ状の生地による素材であって、リードベルト（１４）に取外し自在のための連結フック（１５、１６）をリードの両側に取付け、さらに片側だけ大きく折返した部分に連結フック収納掛具（１７）を取付けて、止具（４３〜５０）により接合し形成された取外し式リード付ハーネスリード。
【請求項３】
ベルト用皮革かテープ状の生地による素材であって、ハーネス（Ａ）と延長ベルト（８）を繋ぎとめる際、連結リング（９、１０）と共にそれより小さ目の連結リング（５７、５８）を取付けておき、バックストッパー片側にはバックベルト調整押え（６３）を取付け、さらに差し込みストッパー（６１、６２）を取付けたバックベルト（５９、６０）を止具（６４〜６７）により連結リング（５７、５８）に接合して固定式として設けられるバックストッパー付ハーネスリード。
【請求項４】
チェーン金具であって、ハーネス（Ａ）と延長ベルト（８）を繋ぎとめる際、連結リング（９、１０）と共にそれより小さ目の連結リング（５７、５８）を取付けておき、チェーン金具（７０）に取外し自在のための連結具（６８、６９）を両端に取付け、取外し式として設けられるハーネスバックストッパー。
【請求項５】
ベルト用皮革かテープの生地状による素材であって、ジョイントベルト（７３）に取外し自在のための連結フック（７１、７２）を両端に取付け止具（７４〜７７）で接合し、ハーネス（Ａ）とリード（Ｂ）の間に繋ぐことにより取外し式として設けられるジョイント付ハーネスリード。
【請求項６】
ベルト用皮革かテープの生地状による素材であって、ジョイントベルト（８０）に取外し自在のための連結フック（７８）と連結リング（７９）をそれぞれの端に取り付け止具（８１〜８４）で接合し、ハーネス（Ａ）とリード（Ｂ）の間に繋ぐことにより取外し式として設けられるジョイント付ハーネスリード。
【請求項７】
チェーン金具であって、チェーン金具（８２）に取外し自在のため連結フック（８５、８６）を両端に取付け、ハーネス（Ａ）とリード（Ｂ）の間に繋ぐことにより取外し式として設けられるハーネスジョイント付ハーネスリード。
【手続補正４】
【補正対象書類名】図面
【補正対象項目名】図３
【補正方法】変更
【補正の内容】
【図３】
0003097185.tif 000017
【手続補正５】
【補正対象書類名】図面
【補正対象項目名】図４
【補正方法】変更
【補正の内容】
【図４】
0003097185.tif 000018
【手続補正６】
【補正対象書類名】図面
【補正対象項目名】図５
【補正方法】変更
【補正の内容】
【図５】
0003097185.tif 000019
【手続補正７】
【補正対象書類名】図面
【補正対象項目名】図１４
【補正方法】変更
【補正の内容】
【図１４】
0003097185.tif 000020